(57)【要約】【課題】同一画面内で複数の映像が再生されている際、各映像に対して指標が表示されていない場合に比して、ユーザが所望の映像を選択できる技術を提供すること。【解決手段】閲覧端末において、複数の映像と映像に関連付けられた指標とが同期して再生されるように、映像及び前記指標の出力を制御する通常表示制御部Ｘと、複数の映像が同一画面上で再生されている通常表示の際、閲覧端末からの指標の指定を受けた場合、指定を受けた指標に関連付けられた映像が強調されて再生されるように、前記映像の出力を制御する強調表示制御部Ｙとを有する映像制御システムである。【選択図】図１
2018125702.tif 000002
【特許請求の範囲】
【請求項１】
閲覧端末において、複数の映像と前記映像に関連付けられた指標とが同期して再生されるように、前記映像及び前記指標の出力を制御する通常表示制御部と、
前記複数の映像が同一画面上で再生されている通常表示の際、前記閲覧端末からの前記指標の指定を受けた場合、指定を受けた指標に関連付けられた映像が強調されて再生されるように、前記映像の出力を制御する強調表示制御部と
を有する映像制御システム。
【請求項２】
前記映像が少なくとも一以上のシーンの映像から構成されている場合、前記指標が前記シーンの映像に関連付けられている
請求項１に記載の映像制御システム。
【請求項３】
前記閲覧端末において、前記指標を含む資料画像が前記複数の映像と同期して再生されるように、前記資料画像の出力を制御する資料画像表示制御部を
有する請求項１又は請求項２に記載の映像制御システム。
【請求項４】
前記資料画像は、前記複数の映像に関する情報の概念図を含み、
前記指標は、前記概念図の予め定められた位置に配置される
請求項３に記載の映像制御システム。
【請求項５】
前記強調表示制御部は、
前記複数の映像の各映像を識別する識別情報と前記指標との関連付けの情報を含む映像メタデータを用いて、前記閲覧端末から指定を受けた指標に関連付けられている映像を取得し、取得した映像が前記閲覧端末に強調されて再生されるように、前記映像の出力を制御する
請求項１から請求項４のいずれかに記載の映像制御システム。
【請求項６】
前記強調表示制御部は、前記閲覧端末からの前記指標の指定を受けて、指定を受けた指標に関連付けられた映像のシーンの開始位置から、前記映像が強調されて前記閲覧端末に再生されるように、前記映像の出力を制御する
請求項２から請求項５のいずれかに記載の映像制御システム。
【請求項７】
前記通常表示制御部は、前記強調表示制御部による映像の再生の終了、又は、前記閲覧端末からの前記映像の強調表示の終了指示の受信により、前記閲覧端末において、前記通常表示で複数の前記映像が再生されるように、前記映像及び前記指標の出力を制御する
請求項１から請求項６のいずれかに記載の映像制御システム。
【請求項８】
前記指標は、関連付けられる映像の内容、又は、その映像がどのような視点又は観点で作成又は撮影されたかを表す文章、キーワード、アイコン、キャラクタ、サムネイル画像の少なくともいずれかである
請求項１から請求項７のいずれかに記載の映像制御システム。
【請求項９】
前記強調表示制御部は、前記閲覧端末において、前記指定を受けた指標に関連付けられた映像の表示が前記指定を受けた指標に関連付けられていない映像に対して区別できる形式で再生されるように、前記映像の出力を制御する
請求項１から請求項８のいずれかに記載の映像制御システム。
【請求項１０】
前記強調表示制御部は、前記指定を受けた指標に関連付けられた映像のみを表示する、前記指定を受けた指標に関連付けられた映像を他の映像の表示領域よりも広い表示領域で表示する、もしくは、前記指定を受けた指標に関連付けられた映像を他の映像と異なる表示形態で表示する、のいずれかで、前記指定を受けた指標に関連付けられた映像が強調して再生されるように前記映像の出力を制御する
請求項９のいずれかに記載の映像制御システム。
【請求項１１】
閲覧端末において、複数の映像と前記映像に関連付けられた指標とが同期して再生されるように、前記映像及び前記指標の出力を制御する処理と、
前記複数の映像が同一画面上で再生されている通常表示の際、前記閲覧端末からの前記指標の指定を受けた場合、指定を受けた指標に関連付けられた映像が強調されて再生されるように、前記映像の出力を制御する処理と
をコンピュータに実行させるプログラム。
【発明の詳細な説明】
【技術分野】
【０００１】
本発明は映像制御システム及びプログラムに関し、特に、複数の映像の再生を制御する映像制御システム及びプログラムに関する。
【背景技術】
【０００２】
近年のデジタルビデオカメラ及びデジタルカメラ等の動画撮影装置の普及により、一つの場面を複数の動画撮影装置で同時に撮影する機会が増えている。また、ネットワーク利用技術の発達と共に、自宅や遠隔地で、撮影された複数の映像を視聴したり、複数の映像を用いて学習を行うｅラーニングが行われたりするようになった。
【０００３】
特許文献１には、対象物を複数方向から撮影・録音し、夫々の映像及び音声を同一時刻毎に蓄積すると共に、同一時刻毎に複数映像を、メイン映像とサブ映像として出力し、再生する技術が開示されている。
【０００４】
また、特許文献２には、時間的に重複して記録された複数の動画を一画面で同時に再生する動画再生装置において、複数の動画の優先度を決定する優先順位決定手段と、優先度に従い複数の動画の表示位置を設定する表示位置設定手段とを備えた動画再生装置に関する技術が記載されている。
【先行技術文献】
【特許文献】
【０００５】
【特許文献１】特開2004-173083号公報
【特許文献２】特開2014-68160号公報
【発明の概要】
【発明が解決しようとする課題】
【０００６】
ところで、画面内で複数の映像が再生されている際に、ユーザが注目したい映像を選択する場合、映像を選択するための手がかりとなるようなものがなく、ユーザが注目したい映像を適切に選択できないという課題がある。
【０００７】
そこで、本発明は、同一画面内で複数の映像が再生されている際、各映像に対して指標が表示されていない場合に比して、ユーザが所望の映像を選択できる映像制御システム及びプログラムを提供することにある。
【課題を解決するための手段】
【０００８】
本願の請求項１に係る発明は、閲覧端末において、複数の映像と前記映像に関連付けられた指標とが同期して再生されるように、前記映像及び前記指標の出力を制御する通常表示制御部と、前記複数の映像が同一画面上で再生されている通常表示の際、前記閲覧端末からの前記指標の指定を受けた場合、指定を受けた指標に関連付けられた映像が強調されて再生されるように、前記映像の出力を制御する強調表示制御部とを有する映像制御システムである。
【０００９】
本願の請求項２に係る発明は、前記映像が少なくとも一以上のシーンの映像から構成されている場合、前記指標が前記シーンの映像に関連付けられている。
【００１０】
本願の請求項３に係る発明は、前記閲覧端末において、前記指標を含む資料画像が前記複数の映像と同期して再生されるように、前記資料画像の出力を制御する資料画像表示制御部を有する。
【００１１】
本願の請求項４に係る発明は、前記資料画像が、前記複数の映像に関する情報の概念図を含み、前記指標は、前記概念図の予め定められた位置に配置される。
【００１２】
本願の請求項５に係る発明は、前記強調表示制御部が、前記複数の映像の各映像を識別する識別情報と前記指標との関連付けの情報を含む映像メタデータを用いて、前記閲覧端末から指定を受けた指標に関連付けられている映像を取得し、取得した映像が前記閲覧端末に強調されて再生されるように、前記映像の出力を制御する。
【００１３】
本願の請求項６に係る発明は、前記強調表示制御部が、前記閲覧端末からの前記指標の指定を受けて、指定を受けた指標に関連付けられた映像のシーンの開始位置から、前記映像が強調されて前記閲覧端末に再生されるように、前記映像の出力を制御する。
【００１４】
本願の請求項７に係る発明は、前記通常表示制御部が、前記強調表示制御部による映像の再生の終了、又は、前記閲覧端末からの前記映像の強調表示の終了指示の受信により、前記閲覧端末において、前記通常表示で複数の前記映像が再生されるように、前記映像及び前記指標の出力を制御する。
【００１５】
本願の請求項８に係る発明は、関連付けられる映像の内容、又は、その映像がどのような視点又は観点で作成又は撮影されたかを表す文章、キーワード、アイコン、キャラクタ、サムネイル画像の少なくともいずれかである。
【００１６】
本願の請求項９に係る発明は、前記強調表示制御部が、前記閲覧端末において、前記指定を受けた指標に関連付けられた映像の表示を、前記指定を受けた指標に関連付けられていない映像に対して区別できる形式で再生されるように、前記映像の出力を制御する。
【００１７】
本願の請求項１０に係る発明は、前記強調表示制御部が、前記指定を受けた指標に関連付けられた映像のみを表示する、前記指定を受けた指標に関連付けられた映像を他の映像の表示領域よりも広い表示領域で表示する、もしくは、前記指定を受けた指標に関連付けられた映像を他の映像と異なる表示形態で表示する、のいずれかで、前記指定を受けた指標に関連付けられた映像が強調して再生されるように前記映像の出力を制御する。
【００１８】
本願の請求項１１に係る発明は、閲覧端末において、複数の映像と前記映像に関連付けられた指標とが同期して再生されるように、前記映像及び前記指標の出力を制御する処理と、前記複数の映像が同一画面上で再生されている通常表示の際、前記閲覧端末からの前記指標の指定を受けた場合、指定を受けた指標に関連付けられた映像が強調されて再生されるように、前記映像の出力を制御する処理とをコンピュータに実行させるプログラムである。
【発明の効果】
【００１９】
本願の請求項１及び請求項１１に係る発明によれば、ユーザは映像と同期して再生される指標を手掛かりに、複数の映像から注目したい映像を選択でき、その映像を他の映像に比べて強調された形式で視聴することができる。
【００２０】
本願の請求項２に係る発明によれば、シーンの映像毎に適切な指標を関連付けることができる。
【００２１】
本願の請求項３に係る発明によれば、閲覧端末において、指標を含む資料画像と複数の映像とが同期して再生される。
【００２２】
本願の請求項４に係る発明によれば、ユーザは、資料画像の概念図を参考にしながら、指標を選択することができる。
【００２３】
本願の請求項５に係る発明によれば、閲覧端末から指定を受けた指標に関連付けられている映像を特定することができる。
【００２４】
本願の請求項６に係る発明によれば、ユーザは強調して表示したい映像のシーンの開始位置から映像を視聴することができる。
【００２５】
本願の請求項７に係る発明によれば、指標に関連付けられた映像の再生が終了した場合、又は、自ら映像の強調表示を中止した場合であっても、ユーザは通常表示の映像視聴を継続して行える。
【００２６】
本願の請求項８に係る発明によれば、指標は、関連付けられる映像の内容、又は、その映像がどのような視点又は観点で作成又は撮影されたかを表す文章、キーワード、アイコン、キャラクタ、サムネイル画像等であるので、ユーザが複数の映像から注目したい映像を選択できる目安とすることができる。
【００２７】
本願の請求項９に係る発明によれば、ユーザが注目したい映像が他の映像よりも区別できる形式で表示することができる。
【００２８】
本願の請求項１０に係る発明によれば、ユーザが注目したい映像が他の映像よりも区別できる。
【図面の簡単な説明】
【００２９】
【図１】図１は本発明の映像制御システムの態様１のブロック図である。
【図２】図２は記憶部３に記憶されている映像メタデータの一例を示す図である。
【図３】図３は記憶部３に記憶されている映像メタデータの一例を示す図である。
【図４】図４は閲覧端末１の表示部１２において表示される複数の映像及び指標の一例を示した図である。
【図５】図５は強調表示する映像のみを表示し、他の映像は表示しない強調表示の一例を示す図である。
【図６】図６は指標が二つ以上の映像と関連付けられている場合の強調表示の一例を示す図である。
【図７】図７は強調表示する映像のフレーム枠を他の映像のフレーム枠と異なるものにする場合の強調表示の一例を示す図である。
【図８】図８は本発明の映像制御システムの態様２のブロック図である。
【図９】図９は本発明の映像制御システムの態様３のブロック図である。
【図１０】図１０は本発明の映像制御システムの態様４のブロック図である。
【図１１】図１１は本発明の映像制御システムの態様４の変形例のブロック図である。
【図１２】図１２は第１の実施の形態の映像制御システムの構成を示すブロック図である。
【図１３】図１３は第１の実施の形態のコンテンツ配信サーバ１００のブロック図である。
【図１４】図１４は閲覧端末３００の表示部３０１に表示される映像と資料画像との一例を示す図である。
【図１５】図１５は記憶装置４００に格納されている映像メタデータの具体例を示す図である。
【図１６】図１６は初期資料画像の一例を示す図である。
【図１７】図１７はコンテンツ配信サーバ１００と閲覧端末３００との処理や情報の流れを示すシーケンス図である。
【図１８】図１８はコンテンツ配信サーバ１００で行われる通常表示制御のフローチャートである。
【図１９】図１９は通常表示映像データの生成の具体例を説明するための図である。
【図２０】図２０は各シーンの映像と同期する資料画像中の指標の遷移の例を示した図である。
【図２１】図２１は閲覧端末３００の表示部３０１に表示される映像及び資料画像の一例を示す図である。
【図２２】図２２はコンテンツ配信サーバ１００で行われる強調表示制御のフローチャートである。
【図２３】図２３は、図１５の映像メタデータと通常表示及び強調表示との関係を時間軸上で表した概念図である。
【図２４】図２４閲覧端末３００の表示部３０１に表示される映像及び資料画像の一例を示す図である。
【図２５】図２５は閲覧端末３００の表示部３０１に表示される映像及び資料画像の一例を示す図である。
【図２６】図２６は資料画像中に表示される概念図の一例を示した図である。
【図２７】図２７は図２６の資料画像が閲覧端末に表示される一例を示した図である。
【図２８】図２８は資料画像の一例を示した図である。
【図２９】図２９は第２の実施の形態の映像制御システムの構成を示すブロック図である。
【図３０】図３０は第２の実施の形態の閲覧端末３００のブロック図である。
【図３１】図３１は閲覧端末３００で行われる通常表示制御のフローチャートである。
【図３２】図３２は閲覧端末３００で行われる強調表示制御のフローチャートである。
【図３３】図３３は第３の実施の形態の閲覧装置３００のブロック図である。
【発明を実施するための形態】
【００３０】
本発明の映像制御システムは、閲覧端末において、複数の映像と映像に関連付けられた指標とが同期して再生されるように、映像及び指標の出力を制御する通常表示制御部Ｘと、複数の前記映像が同一画面上で再生されている通常表示の際、閲覧端末からの指標の指定を受けた場合、指定を受けた指標に関連付けられた映像が強調されて再生されるように、映像の出力を制御する強調表示制御部Ｙとを備える。
【００３１】
本発明の映像制御システムは、通常表示制御部Ｘと強調表示制御部Ｙとがいずれの装置に配置されるかによって、種々の態様が考えられる。以下、本発明の映像制御システムの態様及び概要を説明する。
【００３２】
（１）映像制御システムの態様１
本発明の映像制御システムの態様１は、ストリーミング配信に代表されるような、ネットワークを介して映像コンテンツを閲覧端末に配信する態様である。図１は本発明の映像制御システムの態様１のブロック図である。
【００３３】
図１中、１は閲覧端末であり、２はネットワーク、３は記憶部であり、４は映像制御装置である。
【００３４】
閲覧端末１は、映像制御装置４から配信される映像及び指標を閲覧（再生）する端末である。代表的な例として、パーソナルコンピュータ、タブレット、スマートフォン等がある。閲覧端末１は、表示制御部１１と表示部１２とを備える。表示制御部１１は、映像制御装置４からの映像及び指標を、表示部１２に表示するための制御を行うものであり、Ｗｅｂブラウザや、メディアプレイヤー等の機能を有する。表示部１２は、液晶ディスプレイ等のディスプレイであり、表示されている項目を選択するタッチセンサを備えていていも良い。
【００３５】
ネットワーク２は、インターネット等のネットワークである。閲覧端末１と映像制御装置４とは、ネットワーク２を介して接続されている。
【００３６】
記憶部３は、閲覧端末１に配信される複数の映像の映像データ（音声データも含んでも良い）と、映像メタデータとが格納されている。
【００３７】
閲覧端末１に配信されて表示される複数の映像は、あるひとつの大きなテーマに基づいて作成又は撮影された映像である。そして、各映像は、そのテーマを互いに異なる視点又は観点に基づいて作成又は撮影された内容が異なる映像である。
【００３８】
具体的に説明すると、テーマが「包丁の切り方」である場合、複数の映像は「包丁の切り方」に関する内容の映像である。そして、その各映像は、「包丁の切り方」というテーマに基づいているが、例えば、ある映像は包丁を使用している料理人にフォーカスした映像であったり、他の映像は食材を包丁で切っている場面をその料理人の視点から撮影した映像であったり、更に他の映像は食材をどの程度を大きさで切っているかが確認しやすいように撮影された映像であったりする。このように、各映像は、テーマは共通するが、互いに異なる視点又は観点で作成又は撮影された内容が異なる映像である。
【００３９】
各映像は動画、静止画の種類は問わないが、その映像の映像データの代表的なファイルフォーマットとして、ＭＰＥＧ、ＡＶＩ、ＭＯＶ等がある。
【００４０】
映像メタデータは、映像の映像識別情報と指標との関連付けの情報である。
【００４１】
映像の映像識別情報は、記録部３に格納されている複数の映像データから各映像を一意に特定できるものであればよく、映像データのファイル名等の情報を、映像識別情報として用いることができる。
【００４２】
指標は、関連付けられる映像識別情報の映像の内容、又は、その映像がどのような視点又は観点で作成又は撮影されたか等を表す情報である。例えば、指標は、関連付けられる映像識別情報に対応する映像の内容、又は、その映像がどのような観点又は視点で作成又は撮影されたか等を要約した文章、キーワード、アイコン、キャラクタ、サムネイル画像等である。そして、指標は、同一画面上で表示される複数の映像の中から、ユーザが希望する映像を選択するための目安や手掛かりとなるものである。
【００４３】
次に、映像メタデータの一例を用いて、映像識別情報とその映像の指標との関連付けについて詳細に説明する。図２は、記憶部３に記憶されている映像メタデータの一例を示す図である。
【００４４】
図２では、記憶部３に記憶されている映像データの映像識別情報１から映像識別情報４と、指標とが関連付けられた映像メタデータの一例を示している。
【００４５】
例えば、映像識別情報１は、映像識別情報１の映像を選択するための目安や手掛かりとなる指標１と関連付けられている。
【００４６】
また、映像識別情報と指標とは一対一に対応している必要はない点に留意すべきである。例えば、映像識別情報２は、映像識別情報２の映像を選択するための目安や手掛かりとなる指標２及び指標３と関連付けられている。このように、ひとつの映像識別情報に複数の指標が関連付けられていても良い。
【００４７】
また、同時に表示される複数の映像全てに、かならずしも、指標が関連付けられている必要はない。例えば、映像識別情報３のように、関連付けられる指標がなくても良い。
【００４８】
また、ひとつの指標が複数の映像識別情報に関連付けられていても良い。例えば、指標２は、映像識別情報１と映像識別情報４とに関連付けられている。この場合、指標２は、映像識別情報１の映像と映像識別情報４の映像を選択するための目安や手掛かりとなる指標といえる。
【００４９】
このように、映像識別情報と指標とが関連付けられることにより、映像識別情報で特定される映像と指標とが関連付けられていることになる。
【００５０】
上述の例は、映像に関連付けられる指標が変化しない場合を説明した。しかし、映像の意味的な場面が時間の経過とともに変化する場合、場面毎の映像に関連付ける指標も変化させたい場合もある。そのような場合、ひとつの映像を、その場面に対応する同一又は異なる時間長の映像区間に分割し、その映像区間の映像と指標とを関連付けるようにしても良い。以下の説明において、映像区間をシーンと記載し、その映像区間の映像をシーンの映像と記載する。また、映像上の時間的なシーンの位置の特定は、映像上のシーンの開始時刻と終了時刻とからなる情報を用いることができる。尚、上述した図２の例は、シーンという観点からみると、ひとつのシーンの映像ともいえることに留意すべきである。
【００５１】
ひとつの映像が少なくとも１以上のシーンの映像から構成されている場合の映像メタデータの一例を、図３に示す。
【００５２】
図３の例では、映像識別情報１の映像がシーン１Ａ〜１Ｎの映像から構成され、映像識別情報２の映像がシーン２Ａ〜２Ｎの映像から構成され、映像識別情報３の映像がシーン３Ａ〜３Ｎの映像から構成され、映像識別情報４の映像がシーン４Ａの映像から構成されている例を示している。尚、以下の説明では、理解を容易にするために、映像上の時間的なシーンの位置を特定する情報として、シーンの開始時刻及び終了時刻を用いずに、単に、シーン１Ａ〜１Ｎ、シーン２Ａ〜２Ｎ、シーン３Ａ〜３Ｎ及びシーン４Ａと記載する。
【００５３】
図３の例では、映像識別情報１のシーン１Ａと指標１とが関連付けられている。映像識別情報１のシーン１Ｂと指標２とが関連付けられている。映像識別情報１のシーン１Ｃと指標３とが関連付けられている。映像識別情報１のシーン１Ｎと指標４とが関連付けられている。その結果、シーン１Ａの映像と指標１とが関連付けられ、シーン１Ｂの映像と指標２とが関連付けられ、シーン１Ｃの映像と指標３とが関連付けられ、シーン１Ｎの映像と指標４とが関連付けられていることになる。
【００５４】
また、シーンの映像と指標とは一対一に対応している必要はない点も留意すべきである。例えば、映像識別情報２のシーン２Ｃと、指標２及び指標３とが関連付けられている。このように、ひとつのシーンの映像に複数の指標が関連付けられていても良い。
【００５５】
また、全てのシーンに、かならずしも、指標が関連付けられている必要はない。例えば、映像識別情報３のシーン３Ｃのように、指標が関連付けられていなくても良い。
【００５６】
また、同一の指標が複数のシーンに関連付けられていても良い。例えば、指標２は、映像識別情報１のシーン１Ｂ、映像識別情報２のシーン２Ａ，２Ｂ，２Ｃに関連付けられている。すなわち、同一の指標が複数のシーンの映像に関連付けられていても良い。
【００５７】
また、映像の意味的な場面が変化せず、映像に関連付けられる指標も変化していない映像の場合、映像の全区間をひとつのシーンとみなし、そのシーンの映像と指標とを関連付けても良い。例えば、映像識別情報４のシーン４Ａには、指標４が関連付けられている。
【００５８】
このように、映像を複数のシーンの映像に分割し、シーンの映像に指標を関連付けることにより、映像の意味的な場面が時間の経過とともに変化するような場合であっても、場面毎（シーン毎）の映像に適切な指標を関連付けすることができる。
【００５９】
映像制御装置４は、閲覧端末１で表示される映像及び指標の出力を制御する装置であり、コンテンツ配信サーバの機能を有する。そして、態様１では、映像制御装置４が、通常表示制御部Ｘと強調表示制御部Ｙとを備え、映像制御システムとなる。また、映像制御装置４は、記憶部３とＬＡＮのようなネットワークを介して接続されているが、映像制御装置４が記憶部３を備えていても良い。尚、態様１の映像制御システムを実施する実施者は、コンテンツを配信するコンテンツ配信事業者や、コンテンツ配信サーバを運営する事業者等である。
【００６０】
通常表示制御部Ｘは、記憶部３から映像データと映像メタデータとを読み出し、複数の映像と指標とが同期して閲覧端末１に表示されるように、映像及び指標の出力を制御する。ここで、映像及び指標の出力の制御とは、単に、映像及び指標の出力のタイミング等を制御するだけではなく、映像及び指標の出力を制御することにより、結果として、閲覧端末１の表示部１２の同一画面上に映像及び指標が同期して再生されるように制御することも含む概念である。映像及び指標の出力制御は、閲覧端末１に表示する複数の映像と指標とをひとつの映像に合成して閲覧端末１に出力する制御を行う。閲覧端末１ではその映像を再生することにより、表示部１２の同一画面上で映像及び指標が同期して表示される。また、映像及び指標の出力制御は、スクリプト等の命令記述を、映像データ及び指標とともに送信することにより、実現することもできる。そして、閲覧端末１の表示制御部１１が命令記述を実行することにより、閲覧端末１の表示部１２の同一画面上で、複数の映像と指標とが同期して表示される。
【００６１】
ここで、通常表示制御部Ｘが行う通常表示制御について説明する。映像の通常表示制御又は通常表示とは、閲覧端末１の表示部１２の同一画面上で表示されるいずれの映像も、他の映像と比べて著しく区別できるような表示をしない表示制御方法である。例えば、全ての映像が、閲覧端末１の表示部１２において同様な大きさで表示されるような表示形態をいう。また、複数の映像と指標とが同期して表示とは、複数の映像と共に指標が、閲覧端末１の表示部１２において表示されていればよく、かならずしも、時間的に完全に一致して表示される必要はない。また、映像とこの映像に関連付けられている指標とが同期されて表示されることが好ましいが、かならずしも、映像とこの映像に関連付けられている指標とが同期して表示される必要はない。例えば、映像が複数のシーンの映像に分割され、各シーンの映像に指標が関連付けられている場合、閲覧端末１の表示部１２に、現在表示されているシーンの映像に関連付けられている指標のみならず、他の異なるシーンの映像に関連付けられている指標も表示するようにしても良い。
【００６２】
通常表示制御部Ｘによる通常表示制御により、閲覧端末１の表示部１２において表示される複数の映像及び指標の一例を、図４に示す。図４では、映像１から映像４の４つの映像が大きさの等しい表示領域で表示されている様子を示している。映像１から映像４の各映像の右下には、映像１から映像４に関連付けられた指標が同期して表示される。
【００６３】
強調表示制御部Ｙは、閲覧端末１において複数の映像と指標とが同一画面上に再生されている通常表示状態で、閲覧端末の入力装置等により、ユーザが指標を指定すると、その指定に応答して、指定した指標に関連付けられた映像を強調表示させるため、映像の出力を制御する。強調表示制御部Ｙは、指定された指標に関連付けられた映像識別情報を、映像メタデータから検索する。そして、検索された映像識別情報で特定される映像の映像データを用いて、その映像の強調表示を行う。
【００６４】
強調表示制御部Ｙは、指標がシーンの映像と関連付けられている場合には、指定された指標に関連付けられたシーン及びそのシーンが属する映像の映像識別情報を映像メタデータから検索し、検索したシーン及び映像識別情報で特定される映像データを用いて、そのシーンの映像の強調表示を行う。
【００６５】
ここで、強調表示制御部Ｙが行う強調表示制御及び強調表示の方法について説明する。
【００６６】
強調表示制御は、指定した指標に関連付けられた映像を強調した映像データを生成して閲覧端末１に出力する。閲覧端末１ではその映像が再生される。また、検索された映像識別情報で特定される映像を強調表示するスクリプト等の命令記述を、映像データとともに、閲覧端末１に送信することにより、実現することもできる。そして、閲覧端末１の表示制御部１１が命令記述を実行することにより、閲覧端末１の表示部１２に、指定した指標に関連付けられた映像が強調表示される。
【００６７】
ここで、映像の強調表示とは、指定した指標に関連付けられた映像の表示形式を、他の映像の表示形式に対して区別できるように表示する表示方法である。強調表示の代表的なものに、強調表示する映像を、他の映像の表示領域よりも大きい表示領域で表示する方法がある。しかし、この方法に限られない。例えば、強調表示する映像のみを表示し、他の映像は表示しない方法や、強調表示する映像のフレーム枠を他の映像のフレーム枠と区別できるようなものにする等である。
【００６８】
強調表示制御部Ｙが行う強調表示の具体例を図５から図７を用いて説明する。
【００６９】
図５は、強調表示する映像のみを表示し、他の映像は表示しない強調表示の一例を示す図である。図５では、閲覧端末１の表示部１２に、映像１から映像４が同一画面上で表示されている通常表示において、ユーザが指標１を指定した場合、指標１に関連付けられている映像１のみが、閲覧端末１の表示部１２に表示されている。
【００７０】
図６は、指標が二つ以上の映像と関連付けられている場合の強調表示の一例を示す図である。図６では、閲覧端末１の表示部１２に、映像１から映像４が同一画面上で表示されている通常表示において、ユーザが指標２を指定した場合、指標２に関連付けられている映像１と映像２とが、他の映像３、映像４の表示領域よりも大きい表示領域で表示されている。
【００７１】
図７は、強調表示する映像のフレーム枠を他の映像のフレーム枠と異なるものにする場合の強調表示の一例を示す図である。図７では、閲覧端末１の表示部１２に、映像１から映像４が同一画面上で表示されている通常表示において、ユーザが指標１を指定した場合、指標１に関連付けられている映像１のフレーム枠が太く表示され、他の映像のフレーム枠と異なるものとなっている。
【００７２】
このように、映像制御システムの態様１は、閲覧端末において、同一画面上で複数の映像と、その映像の内容又はその映像がどのような観点で作成又は撮影されたか等を表す指標とが同期して表示される。ユーザは、閲覧端末において、映像と同期して再生される指標を手掛かりにし、複数の映像から注目したい映像を選択できる。そして、ユーザは指定した指標に関連付けられている映像を他の映像に比べて強調された形式で視聴することができる。従って、ユーザは注目したい映像を探すために、複数の映像を視聴して確認する必要がない。更に、ユーザが指標を指定することにより、注目したい映像が自動的に強調表示されるので、ユーザはそのまま視聴を継続することができる。
【００７３】
その結果、ユーザが注目したい映像を探すための視聴による映像の再生処理や、映像を確認するための映像の拡大などの処理を低減することができ、映像制御装置及び閲覧端末の処理の負担を低減することができる。また、それらの処理に必要となるデータの送受信にかかるネットワーク等の通信リソースも低減することができる。
【００７４】
映像制御システムの態様１は、映像制御装置が通常表示制御及び強調表示制御を行うので、端末側は特別な装置を用意する必要がないという利点を有する。
【００７５】
（２）映像制御システムの態様２
図８は本発明の映像制御システムの態様２のブロック図である。
【００７６】
図８中、１は閲覧端末であり、２はネットワーク、３は記憶部であり、５は配信装置である。尚、態様１と同様な構成のものについては、同じ符号を付した。
【００７７】
本発明の映像制御システムの態様２は、閲覧端末１が通常表示制御部Ｘと強調表示制御部Ｙとを備えている点で、態様１と異なる。従って、態様２では、閲覧端末１が、通常表示制御部Ｘと強調表示制御部Ｙとを備え、映像制御システムとなる。
【００７８】
閲覧端末１が通常表示制御部Ｘと強調表示制御部Ｙとを備える手法としては、通常表示制御部Ｘと強調表示制御部Ｙとの機能を有するプログラムを閲覧端末１にプレインストールしておく方法や、通常表示制御部Ｘと強調表示制御部Ｙとの機能を有するプログラムを、インターネット上のサイトからダウンロードして閲覧端末１にインストールする方法がある。
【００７９】
態様２の映像制御システムを実施する実施者は、主に閲覧端末１のユーザである。しかし、通常表示制御部Ｘと強調表示制御部Ｙとの機能を有するプログラムがインストールされた閲覧端末を譲渡等する者や、通常表示制御部Ｘと強調表示制御部Ｙとの機能を有するプログラムを提供する者も、映像制御システムを実施する者に該当する。
【００８０】
一方、配信装置５は、記憶部３に格納されている映像データ及び映像メタデータを、閲覧端末１に配信する機能を有する。閲覧端末１の通常表示制御部Ｘ及び強調表示制御部Ｙは、配信装置５から配信される映像データ及び映像メタデータを用いて、上述した態様１と同様に、閲覧端末１の表示部１２に、複数の映像と指標とを同期して表示し、指定した指標に関連付けられた映像の強調表示を行う。
【００８１】
尚、映像データ及び映像メタデータを配信する配信装置５は、通常表示制御部Ｘ及び強調表示制御部Ｙを備えた閲覧端末１（映像制御システム）の実施に必要なものであり、通常表示制御部Ｘ及び強調表示制御部Ｙを備えた閲覧端末１（映像制御システム）と対応する特別な技術的特徴を有している点にも留意すべきである。
【００８２】
映像制御システムの態様２は、閲覧端末１において通常表示と強調表示との制御を行うが、配信装置５から映像メタデータの配信を受けることにより、態様１と同様な効果を得ることができる。
【００８３】
また、映像制御システムの態様２は、閲覧端末側で、通常表示制御及び強調表示制御を行う構成なので、配信側の処理が低減するという利点がある。
【００８４】
（３）映像制御システムの態様３
図９は本発明の映像制御システムの態様３のブロック図である。
【００８５】
本発明の映像制御システムの態様３は、閲覧端末１が通常表示制御部Ｘと強調表示制御部Ｙとを備えており、閲覧端末１がＬＡＮ等のネットワークを介して記憶部３と接続されている点が他の態様と異なる。尚、閲覧端末１が、記憶部３を備えていても良い。
【００８６】
記憶部３には、サイトなどからダウンロード又はＤＶＤ等の記録媒体から読み込まれた映像データと映像メタデータとが格納されている。そして、閲覧端末１の通常表示制御部Ｘと強調表示制御部Ｙとは、記憶部３から映像データと映像メタデータとを読み出すことにより、態様１と同様な制御を行う。
【００８７】
尚、閲覧端末１が通常表示制御部Ｘと強調表示制御部Ｙとを備える手法としては、通常表示制御部Ｘと強調表示制御部Ｙの機能を有するプログラムを閲覧端末１にプレインストールしておく方法や、通常表示制御部Ｘと強調表示制御部Ｙの機能を有するプログラムをインターネット上のサイトからダウンロードして閲覧端末１にインストールする方法がある。
【００８８】
態様３の映像制御システムを実施する実施者は、主に閲覧端末１のユーザである。しかし、通常表示制御部Ｘと強調表示制御部Ｙとの機能を有するプログラムがインストールされた閲覧端末１を譲渡等する者や、通常表示制御部Ｘと強調表示制御部Ｙとの機能を有するプログラムを提供する者も、映像制御システムを実施する者に該当する点に留意すべきである。
【００８９】
映像制御システムの態様３は、閲覧端末１が通常表示制御部Ｘと強調表示制御部Ｙと、記憶部３とを備えているが、態様１と同様な効果を得ることができる。
【００９０】
また、映像制御システムの態様３は、映像データ及び映像メタデータ等のデータを、ネットワークを介して受信することができないような環境下でも、実施することができるという利点がある。
【００９１】
（４）映像制御システムの態様４
図１０は本発明の映像制御システムの態様４のブロック図である。
【００９２】
図１０中、１は閲覧端末であり、２はネットワーク、３は記憶部であり、６は配信装置である。尚、態様１と同様な構成のものについては、同じ符号を付した。
【００９３】
本発明の映像制御システムの態様４は、配信装置６が通常表示制御部Ｘを備え、閲覧端末１が強調表示制御部Ｙを備えている点で、他の態様と異なる。すなわち、通常表示制御部Ｘと強調表示制御部Ｙとが分かれて配置されているのである。このような場合、閲覧端末１の通常表示制御部Ｘと配信装置６の強調表示制御部Ｙとから、映像制御システムが構成される。
【００９４】
配信装置６の通常表示制御部Ｘは、記憶部３から映像データと映像メタデータとを読み出し、複数の映像と指標とが同期して閲覧端末１に表示されるように、映像及び指標の出力を制御する。映像及び指標の出力制御は、閲覧端末１に表示する複数の映像と指標とをひとつの映像に合成して閲覧端末１に出力する制御を行う。閲覧端末１ではその映像を再生することにより、表示部１２の同一画面上で映像及び指標が同期して表示される。また、映像及び指標の出力制御は、スクリプト等の命令記述を、映像データ及び指標とともに送信することにより、実現することもできる。
【００９５】
また、配信装置６は、通常表示制御部Ｘの通常表示の制御とは別に、映像メタデータを閲覧端末１に配信しておく。
【００９６】
閲覧端末１の強調表示制御部Ｙは、配信装置６から受信した映像メタデータを一時的に記憶しておく。そして、閲覧端末１において複数の映像と指標とが表示されている通常表示の状態で、ユーザが表示されている指標を指定した場合、記憶している映像メタデータから指定した指標に関連付けられた映像を検索し、その映像に対応する映像データを用いて強調表示を行う。
【００９７】
閲覧端末１が強調表示制御部Ｙを備える方法としては、強調表示制御部Ｙの機能を有するプログラムを閲覧端末１にプレインストールしておく方法や、強調表示制御部Ｙの機能を有するプログラムをインターネット上のサイトからダウンロードして閲覧端末１にインストールする方法がある。
【００９８】
このような場合、閲覧端末１の強調表示制御部Ｙは、本発明の映像制御システムの生産にのみ用いられる物の生産、譲渡等に該当する。また、閲覧端末１に強調表示制御部Ｙは、本発明の映像制御システムの課題の解決に不可欠なものである。そして、閲覧端末１に強調表示制御部Ｙをプレインストールする場合や、インターネット上のサイトに強調表示制御部Ｙの機能を有するプログラムをダウンロードさせる行為は、本発明の映像制御システムの実施に用いられることを知りながら行われる行為である。
【００９９】
更に、通常表示制御部Ｘと強調表示制御部Ｙとが分かれて配置される構成は、上記の態様に限られない。例えば、閲覧端末１が通常表示制御部Ｘを備え、配信装置６が強調表示制御部Ｙを備えても良い。
【０１００】
図１１は本発明の映像制御システムの態様４の変形例のブロック図である。
【０１０１】
配信装置６は、記憶部３に格納されている映像データ及び映像メタデータを、閲覧端末１に配信する機能を有する。閲覧端末１の通常表示制御部Ｘは、配信装置６から配信される映像データ及び映像メタデータを用いて、閲覧端末１の表示部１２に、複数の映像と指標とを同期して表示する。
【０１０２】
配信装置６の強調表示制御部Ｙは、閲覧端末１において複数の映像と指標とが表示されている通常表示状態で、ユーザが指標を指定すると、その指定に応答して、指定した指標に関連付けられた映像を、閲覧端末１の表示部１２に強調表示するものである。強調表示制御は、スクリプト等の命令記述を、映像データとともに、閲覧端末１に送信することにより、実現することができる。そして、閲覧端末１の表示制御部１１が命令記述を実行することにより、閲覧端末１の表示部１２に、指定した指標に関連付けられた映像が強調表示される。また、指定した指標に関連付けられた映像を強調した映像データを生成して閲覧端末１に出力するようにしても良い。閲覧端末１ではその映像が再生される。
【０１０３】
閲覧端末１が通常表示制御部Ｘを備える方法としては、上述したように、通常表示制御部Ｘの機能を有するプログラムを閲覧端末１にプレインストールしておく方法や、通常表示制御部Ｘの機能を有するプログラムをインターネット上のサイトからダウンロードして閲覧端末１にインストールする方法がある。
【０１０４】
このような場合、閲覧端末１の通常表示制御部Ｘは、本発明の映像制御システムの生産にのみ用いられる物の生産、譲渡等に該当する。また、閲覧端末１に通常表示制御部Ｘは、本発明の映像制御システムの課題の解決に不可欠なものである。そして、閲覧端末１に通常表示制御部Ｘをプレインストールする場合や、インターネット上のサイトに通常表示制御部Ｘの機能を有するプログラムをダウンロードさせる行為は、本発明の映像制御システムの実施に用いられることを知りながら行われる行為である。
【０１０５】
映像制御システムの態様４は、通常表示制御部Ｘと強調表示制御部Ｙとが分かれて配置されているが、配信装置６から、映像データ及び映像メタデータの配信を受けることにより、態様１と同様な効果を得ることができる。
【０１０６】
また、映像制御システムの態様４は、通常表示制御と強調表示制御とを分散させているので、それぞれの装置が行う処理の負担が軽減されるという利点がある。
【０１０７】
以下、具体的な本発明の実施の形態を説明する。
【０１０８】
＜第１の実施の形態＞
本発明の第１の実施の形態について説明する。
【０１０９】
第１の実施の形態は、上述した本発明の態様１に対応する実施の形態である。尚、第１の実施の形態では、指標が、関連付けられる映像の内容又はその映像がどのような視点又は観点で作成又は撮影されたかを表すキーワードである例を説明する。また、映像が複数のシーンの映像から構成され、各シーンの映像に指標が関連付けられている例を説明する。
【０１１０】
まず、第１の実施の形態の映像制御システムについて図１２を参照して説明を行う。図１２は、第１の実施の形態の映像制御システムの構成を示すブロック図である。
【０１１１】
第１の実施の形態の映像制御システムは、図１２に示すように、コンテンツ配信サーバ１００がネットワーク２００に接続されており、閲覧端末３００がネットワーク２００に接続されて構成される。そして、コンテンツ配信サーバ１００は、記憶装置４００とＬＡＮのようなネットワークを介して接続されている。尚、コンテンツ配信サーバ１００が記憶装置４００を備えていても良い。
【０１１２】
コンテンツ配信サーバ１００は、通常表示制御部Ｘと強調表示制御部Ｙとを有し、閲覧端末３００に複数の映像コンテンツを配信する機能を有する。
【０１１３】
閲覧端末３００は、表示部３０１、制御部３０２、記憶部３０３、通信部３０４及び入力部３０５を有する端末である。閲覧端末３００の代表的な例として、パーソナルコンピュータ、タブレット、スマートフォン等がある。
【０１１４】
表示部３０１は、液晶等のカラーディスプレイで構成され、閲覧者に映像及び情報を表示する。
【０１１５】
制御部３０２は、ＣＰＵ（Central Processing Unit）等で構成され、閲覧端末３００を統括的に制御する。
【０１１６】
記憶部３０３は、ハードディスク、フラッシュメモリ等の記憶装置で構成され、閲覧端末３００を動作させるＯＳ（Operating System）等の基本ソフトウェアや、Ｗｅｂブラウザのソフトウェア等を記憶する。
【０１１７】
通信部３０４は、ネットワーク２００を介して、コンテンツ配信サーバ１００とデータの送受信を行う。
【０１１８】
入力部３０５は、キーボードや、マウス、タッチパネル等で構成され、ユーザによってユーザの指示が入力される。
【０１１９】
次に、コンテンツ配信サーバ１００について図１３を参照して説明する。
【０１２０】
図１３は、コンテンツ配信サーバ１００のブロック図である。
【０１２１】
コンテンツ配信サーバ１００は、プロセッサ１０１、メモリ（ＲＯＭやＲＡＭ）１０２、記憶装置（ハードディスク、半導体ディスクなど）１０３、入力装置（キーボード、マウス、タッチパネルなど）１０４、表示装置１０５、通信装置１０６、ＬＡＮ通信装置１０７などのハードウェア資源を有する汎用のコンピュータにより構成することができる。
【０１２２】
コンテンツ配信サーバ１００は、記憶装置１０３に格納されたプログラムがメモリ１０２にロードされ、プロセッサ１０１により実行されることにより、通常映像配信機能１１０、資料画像生成機能１１１、シーン検索機能１１２及び強調映像配信機能１１３が実現されるものである。
【０１２３】
ここで、通常映像配信機能１１０及び資料画像生成機能１１１が通常表示制御部Ｘに対応し、シーン検索機能１１２及び強調映像配信機能１１３が強調表示制御部Ｙに対応する。
【０１２４】
また、通常映像配信機能１１０、資料画像生成機能１１１、シーン検索機能１１２及び強調映像配信機能１１３は、通常映像配信部１１０、資料画像生成部１１１、シーン検索部１１２及び強調映像配信部１１３と言い換えることもできる。
【０１２５】
なお、コンテンツ配信サーバ１００は、一台のコンピュータにより構成してもよいし、複数台のコンピュータによる分散コンピューティングにより構成してもよい。また、処理の高速化のため、コンテンツ配信サーバ１００の機能の一部または全部を専用のハードウェア（例えばＧＰＵやＦＰＧＡ、ＡＳＩＣなど）を用いて実現することも可能である。
【０１２６】
資料画像生成機能１１１は、閲覧端末３００において、同一画面上で複数の映像と同期して再生される資料画像を生成する機能を有する。資料画像は、配信される映像に関する資料の画像であり、映像と関連付けられているキーワード（指標）と、そのキーワード以外の映像の理解を助けるためのテキストや図を含む画像である。資料画像は、初期資料画像から生成される。初期資料画像は、映像の理解を助けるためのテキストや図の画像である。そして、初期資料画像には、映像に関連付けられるキーワードが埋め込まれるキーワード表示領域を備える。初期資料画像は、映像の全シーンについて共通して用いる場合は一つだけでも良いが、内容が異なる複数の初期資料画像を用意し、映像のシーン又は所定の時間長の区間毎に、使用する初期資料画像を変更しても良い。また、初期資料画像のメタデータには、通常映像配信機能１１０が、資料画像と複数の映像とを合成する際に用いられ同期情報を含む。同期情報は、同期させたい映像の時間長の区間を示す情報である。例えば、同期情報は、同期させたい映像の区間の開始時刻及び終了時刻等である。
【０１２７】
資料画像生成機能１１１は、通常映像配信機能１１０が読み出した映像のタイムコードが位置するシーンに関連付けられているキーワードを、映像メタデータから取得する。資料画像生成機能１１１は、取得したキーワードを初期資料画像のキーワード表示領域に配置し、そのシーンの資料画像を生成する。このとき、閲覧端末３００において、ユーザに指定されたキーワードを特定できるように、キーワードの画像中の位置情報を、資料画像に含めておく。そして、生成した資料画像と初期資料画像から得た同期情報とは、通常映像配信機能１１０に出力される。
【０１２８】
通常映像配信機能１１０は、閲覧端末３００において、同一画面上で、複数の映像と資料画像とが同期して表示される映像データを、ストリーミング技術を使って閲覧端末３００に配信する機能を有する。通常映像配信機能１１０は、閲覧端末３００に配信する映像データを記憶装置４００から読み出す。そして、読み出した映像データと資料画像生成機能１１１により生成された資料画像とを、初期資料画像から得た同期情報に基づいて合成し、通常表示の映像であるひとつの映像データ（以下、通常表示映像データと記載する）を生成する。
【０１２９】
通常映像配信機能１１０によって配信される映像データを閲覧端末３００で再生した場合の表示部３０１に表示される表示例の一例を、図１４に示す。図１４では、映像１から映像４と資料画像とが同期して表示されている。
【０１３０】
シーン検索機能１１２は、閲覧端末３００から指定を受けたキーワードに関連付けられているシーン及びそのシーンが属する映像識別情報を、記憶装置４００に格納されている映像メタデータから検索する機能を有する。
【０１３１】
強調映像配信機能１１３は、閲覧端末３００から指定を受けたキーワードに関連付けられているシーンの映像を強調した映像データを生成し、ストリーミング技術を使って閲覧端末３００に配信する機能を有する。
【０１３２】
強調映像配信機能１１３は、シーン検索機能１１２によって検索されたシーン及びそのシーンが属する映像識別情報に対応する映像データ（必要ならば強調しない他の映像の映像データも含む）を、記憶装置４００から読み出し、読み出した映像データから、そのシーンの映像を強調した映像データを生成する。そして、生成された映像データと資料画像生成機能１１１により生成された資料画像とを、同期情報に基づいて合成し、ひとつの映像データ（以下、強調表示映像データと記載する）を生成する。尚、同期情報は、上述した同期情報と同様である。
【０１３３】
記憶装置４００には、閲覧端末に配信する映像データ、映像メタデータ及び初期資料画像のデータが格納されている。
【０１３４】
次に、第１の実施の形態の動作を、具体例を用いながら説明する。
【０１３５】
まず、動作の説明をする前に、記憶装置４００に格納されている映像メタデータと、初期資料画像について説明する。
【０１３６】
図１５は記憶装置４００に格納されている映像メタデータの具体例を示す図である。
【０１３７】
図１５の映像メタデータは、映像１から映像４が複数のシーンの映像から構成されている例を示したものである。そして、映像１〜映像４を一意に特定する映像識別情報１〜映像識別情報４と、各シーンと、キーワードとが関連付けられている。各シーンは、シーンの開始時刻及び終了時刻により特定される。例えば、映像識別情報１の時刻００：００：００−００：０１：００で特定されるシーンは、キーワード「間合い、包丁」と関連付けられている。
【０１３８】
図１６は、初期資料画像の一例を示した図である。図１６の例では、初期資料画像として、「切り方のポイント」のテキストと各シーンの映像に関連付けられているキーワードが埋め込まれるキーワード表示領域とからなる初期資料画像を示している。以下の動作の説明では、映像の全シーンを通して、図１６の初期資料画像を用いるものとし、初期資料画像の同期情報は、映像１から映像４の開始時刻及び終了時刻となる。
【０１３９】
続いて、コンテンツ配信サーバ１００及び閲覧端末３００の動作を説明する。
【０１４０】
図１７は、コンテンツ配信サーバ１００と閲覧端末３００との処理や情報の流れを示すシーケンス図である。
【０１４１】
まず、閲覧端末３００からコンテンツ配信サーバ１００に、複数の映像及び資料画像から成るコンテンツの配信の要求を行う（Ｓｔｅｐ  １）。
【０１４２】
コンテンツの配信の要求を受けたコンテンツ配信サーバ１００は、通常表示制御を行う（Ｓｔｅｐ  ２）。
【０１４３】
通常表示制御により、通常表示映像データが配信される（Ｓｔｅｐ  ３）。
【０１４４】
閲覧端末３００は通常表示映像データを受信すると、閲覧端末３００のＷｅｂブラウザは、通常表示映像データを用いて、同一画面上で複数の映像と資料画像とが同期した映像を表示部３０１に再生する（Ｓｔｅｐ  ４）。
【０１４５】
映像を視聴しているユーザは、ここで、注目したい映像のキーワードを、入力部３０５により指定する（Ｓｔｅｐ  ５）。指定したキーワードの情報（例えば、指定したキーワードの映像中の位置情報）は、コンテンツ配信サーバ１００に送信される（Ｓｔｅｐ  ６）。
【０１４６】
コンテンツ配信サーバ１００はキーワードの指定を受信すると、強調表示制御を行う（Ｓｔｅｐ  ７）。
【０１４７】
コンテンツ配信サーバ１００から、強調表示制御により、強調表示映像データが配信される（Ｓｔｅｐ  ８）。
【０１４８】
閲覧端末３００は強調表示映像データを受信すると、閲覧端末３００のＷｅｂブラウザは、強調表示映像データを用いて、指定したキーワードに関連付けられている映像が強調された映像を再生する（Ｓｔｅｐ  ９）。
【０１４９】
次に、コンテンツ配信サーバ１００で行われるＳｔｅｐ  ２の通常表示制御の動作について説明する。
【０１５０】
図１８はコンテンツ配信サーバ１００で行われる通常表示制御のフローチャートである。
【０１５１】
まず、コンテンツ配信サーバ１００がコンテンツの配信の要求を受信すると、通常映像配信機能１１０は、記憶装置４００から配信する映像１〜映像４の映像データ及び映像メタデータを取得する（Ｓｔｅｐ  １０）。
【０１５２】
次に、資料画像生成機能１１１は、通常映像配信機能１１０が読み出した映像データのタイムコードを含む同期情報を持つ初期資料画像を、記憶装置４００から取得する（Ｓｔｅｐ  １１）。そして、映像データのタイムコードが位置するシーンに関連付けられたキーワードを映像メタデータから取得し、取得したキーワードを初期資料画像に配置してそのシーンの資料画像を生成する（Ｓｔｅｐ  １２）。
【０１５３】
通常映像配信機能１１０は、映像１から映像４の映像データと資料画像生成機能１１１が生成した資料画像とを、同期情報を用いて合成し、通常表示映像データを生成する（Ｓｔｅｐ  １３）。
【０１５４】
ここで、図１９を用いて、資料画像生成機能１１１が行う資料画像の生成と、通常映像配信機能１１０が行う映像１〜映像４と資料画像との合成を具体的に説明する。尚、以下の説明に用いられる初期資料画像は、図１６で示した初期資料画像である。また、同期情報は、映像１〜映像４の開始時刻と終了時刻の情報である。
【０１５５】
まず、資料画像生成機能１１１が行う資料画像の生成について説明する。
【０１５６】
例えば、読み出した映像データの映像のタイムコードが００：００：００である場合、タイムコード００：００：００がシーンの開始時刻と終了時刻との区間にある同期情報に対応する初期資料画像を取得する。本例では、取得される初期資料画像は、図１６で示した初期資料画像である。
【０１５７】
続いて、タイムコード００：００が位置するシーンに関連付けられているキーワードを取得する。図１９の例では、映像のタイムコードが００：００であるので、映像識別情報１の開始時刻００：００：００−終了時刻００：０１：００で特定されるシーンに関連付けられているキーワード「間合い、包丁」と、映像識別情報２の開始時刻００：００：００−終了時刻００：０１：００で特定されるシーンに関連付けられているキーワード「姿勢、料理人」と、映像識別情報３の開始時刻００：００：００−終了時刻００：０１：００で特定されるシーンに関連付けられているキーワード「視線、料理人」と、映像識別情報４の開始時刻００：００：００−終了時刻００：０１：００で特定されるシーンに関連付けられているキーワード「間合い、包丁」を取得する。これらの取得したキーワード「間合い」、「包丁」、「姿勢」、「料理人」及び「視線」を、初期資料画像のキーワード表示領域に埋め込むことにより、開始時刻００：００：００−終了時刻００：０１：００で特定されるシーンの資料画像１を生成する。尚、取得したキーワードのうち、重複したキーワードは除いている。
【０１５８】
同様に、読み出した映像データの映像のタイムコードが００：０１：０１である場合、タイムコード００：０１：０１がシーンの開始時刻と終了時刻との区間にある同期情報に対応する初期資料画像を取得する。本例では、取得される初期資料画像は、図１６で示した初期資料画像である。
【０１５９】
続いて、タイムコード００：０１：０１が位置するシーンに関連付けられているキーワードを取得する。図１９の例では、映像のタイムコードが００：００であるので、映像識別情報１の開始時刻００：０１：０１−０：０２：００で特定されるシーンに関連付けられているキーワード「間合い」と、映像識別情報２の開始時刻００：０１：０１−０：０２：００で特定されるシーンに関連付けられているキーワード「姿勢」と、映像識別情報３の開始時刻００：０１：０１−０：０２：００で特定されるシーンに関連付けられているキーワード「視線」と、映像識別情報４の開始時刻００：０１：０１−０：０２：００で特定されるシーンに関連付けられているキーワード「間合い、包丁」を取得する。これらの取得したキーワード「間合い」、「包丁」、「姿勢」及び「視線」を、初期資料画像のキーワード表示領域に埋め込むことにより、開始時刻００：０１：０１−０：０２：００で特定されるシーンの資料画像２を生成する。尚、取得したキーワードのうち、重複したキーワードは除いている。尚、図１９では、検索されたキーワードの全てを資料画像に表示するようにしたが、検索されたキーワードの一部、例えば、重要度に応じて適時減らすようにしても良い。
【０１６０】
次に、通常映像配信機能１１０が行う映像１〜映像４と資料画像との合成について説明する。
【０１６１】
図１９の例では、タイムコードが００：００：００−００：０１：００の映像１から映像４と資料画像１とを、同期情報を用いて合成し、通常表示映像データ１を生成している。同様に、タイムコードが００：０１：０１−０：０２：００の映像１から映像４と資料画像２とを、同期情報を用いて合成し、通常表示映像データ２を生成している。
【０１６２】
そして、通常映像配信機能１１０は、生成した通常表示映像データを閲覧端末３００に配信する（Ｓｔｅｐ  １４）。
【０１６３】
次いで、通常映像配信機能１１０は、後述する閲覧端末からのキーワードの指定を受信したかを判断する（Ｓｔｅｐ  １５）。キーワードの指定を受信した場合は、強調表示制御に移行する。
【０１６４】
キーワードの指定を受信していない場合は、閲覧端末３００に配信する通常表示映像データの配信位置が一定量移動（例えば、シーンの終了時刻まで移動）したかを判断する（Ｓｔｅｐ  １６）。通常表示映像データの配信が一定量移動した場合は、Ｓｔｅｐ  １０に戻り、通常表示制御の処理を行う。通常表示映像データの配信が一定量移動していない場合は、Ｓｔｅｐ  １５に戻る。
【０１６５】
尚、Ｓｔｅｐ  １６における判定の条件である配信位置の一定量移動を、配信している複数の映像のシーンの中で、いずれかのシーンのシーンが終了するタイミングとしても良い。このようにすることにより、複数の映像間でシーンの長さが異なる場合であっても、各シーンとそのシーンの映像に関連付けられているキーワードとが同期した資料画像を表示することができる。
【０１６６】
図２０は、資料画像中の指標が各シーンの映像と同期して変化する例を示した図である。尚、図２０の例において、初期資料画像は映像１から映像４の全シーンを通じてひとつの初期資料画像を用いるものとする。
【０１６７】
図２０の例において、映像１から映像４の配信開始から映像３のシーン３Ａの映像が終了するまでの間（時刻０〜ｔ１）に、初期資料画像から生成された資料画像は、資料画像Ｍである。資料画像Ｍに配置されるのは、指標１、指標２、指標３及び指標４である。
【０１６８】
ここで、時刻ｔ１に、シーン３Ａの映像が終了すると、資料画像生成機能１１１は、映像メタデータから各指標の取得を行う。時刻ｔ２において、資料画像生成機能１１１が取得する指標は、指標１、指標２及び指標４である。従って、指標１、指標２及び指標４が初期資料画像に配置された資料画像Ｎが生成される。
【０１６９】
続いて、時刻ｔ３に、シーン１Ａ、シーン２Ａ、シーン４Ａが終了すると、映像メタデータから各映像の指標の取得が行われる。時刻ｔ４において、資料画像生成機能１１１が取得する指標は、指標１、指標２及び指標３である。従って、指標１、指標２及び指標３が初期資料画像に配置された資料画像Ｏが生成される。
【０１７０】
このように、各映像のシーンの長さが異なる場合であっても、資料画像中に表示される指標を各シーンの映像と同期して表示することができる。
【０１７１】
尚、上述した資料画像生成機能１１１は、映像メタデータからキーワードを取得し、取得したキーワードを初期資料画像に配置することにより、映像と同期させる資料画像を生成する例を説明した。
【０１７２】
しかし、映像と同期する指標が配置された資料画像を、シーンが切り替わるタイミング毎に予め用意しておいても良い。例えば、用意する資料画像は、図２０の資料画像Ｍ、資料画像Ｎ、資料画像Ｏ等である。そして、用意した資料画像を同期させたい映像の区間の開始時刻及び終了時刻を、同期情報として付与しておく。このような資料画像の作成は、資料画像生成機能１１１が初期資料画像から予め作成しておいても良いし、別途作成した資料画像を記憶部４００に記憶させておいても良い。
【０１７３】
このようにすれば、通常映像配信機能１１０は、複数の映像と資料画像とを合成して通常表示データを生成する際、映像のタイムコードを含む同期情報が付与された資料画像を選択し、選択した資料画像とその複数の映像とを合成することにより、映像と同期した指標が配置された資料画像を含む通常表示データを生成することができる。
【０１７４】
上述のように生成された通常表示データを用いて、閲覧端末３００の表示部３０１に表示される映像及び資料画像の一例を、図２１に示す。図２１では、映像１から映像４と資料画像とが同期して表示されている様子を示している。
【０１７５】
次に、Ｓｔｅｐ７で行われるコンテンツ配信サーバ１００の強調表示制御の動作について、図１５、図２２、図２３及び図２４を用いて説明する。
【０１７６】
図２２は、コンテンツ配信サーバ１００で行われる強調表示制御のフローチャートである。図２３は、図１５の映像メタデータと通常表示及び強調表示との関係を時間軸上で表した概念図である。図２４は、閲覧端末に表示される画像の一例を示す図である。
【０１７７】
まず、コンテンツ配信サーバ１００がキーワードの情報（例えば、指定したキーワードの映像中の位置情報）を受信すると、シーン検索機能１１２は、映像メタデータからそのキーワードに関連付けられたシーンを検索する（Ｓｔｅｐ  ２０）。ここでは、図２４に示される通常表示１の状態において、ユーザが、映像の再生位置がタイムコード００：００：３０の時点で、キーワード「包丁」を指定したものとする。
【０１７８】
シーン検索機能１１２は、キーワードに関連付けられたシーンがある場合（Ｓｔｅｐ  ２１）、検索にヒットしたシーンの映像識別情報Ｖ１、そのシーンの開始時刻ＴＳ及び終了時刻ＴＥを読み出す（Ｓｔｅｐ  ２２）。図１５の映像メタデータの例では、キーワード「包丁」にヒットしたシーンの映像識別情報Ｖ１は、映像識別情報１及び開始時刻ＴＳ００：００：００−終了時刻ＴＥ００：０１：００のシーンと、映像識別情報４及び開始時刻ＴＳ００：００：００−終了時刻ＴＥ００：３０：００のシーンである。
【０１７９】
一方、キーワードに関連付けられたシーンがない場合、通常表示制御を維持する（Ｓｔｅｐ  ２５）。
【０１８０】
次に、強調映像配信機能１１３は、キーワードに関連付けられたシーンがある場合、シーン検索機能１１２から、シーンの映像識別情報Ｖ１、そのシーンの開始時刻ＴＳ及び終了時刻ＴＥを受信する。強調映像配信機能１１３は、現在の閲覧端末における再生位置が、各シーンの開始時刻ＴＳと終了時刻ＴＥとの間に位置するかを判断する（Ｓｔｅｐ  ２３）。現在の再生位置が、ヒットしたいずれかのシーンの開始時刻ＴＳと終了時刻ＴＥとの間にある場合、強調映像配信機能１１３は、映像識別情報Ｖ１の映像の現在位置からの映像を強調表示する強調表示映像データを生成する処理を行う（Ｓｔｅｐ  ２４）。
【０１８１】
強調表示は、映像識別情報Ｖ１の映像を、他の映像の表示と比べて区別できるように表示する。強調表示の代表的なものに、強調表示する映像を、他の映像の表示領域よりも大きくして表示する方法がある。しかし、この方法に限られない。例えば、強調表示する映像のみを表示し、他の映像は表示しない方法や、強調表示する映像のフレーム枠を他の映像と区別できるようなものにする等である。
【０１８２】
図２３を用いて強調表示映像データの生成を具体的に説明する。ここで、現在の再生位置のタイムコードが００：００：３０である場合、タイムコード００：００：３０が位置するシーンは映像識別情報１の開始時刻ＴＳ００：００：００−終了時刻ＴＥ００：０１：００のシーンと、映像識別情報４の開始時刻ＴＳ００：００：００−終了時刻ＴＥ００：０１：００のシーンである。そこで、映像識別情報１の映像のタイムコード００：００：３０−００：０１：００の期間の映像と、映像識別情報４の映像のタイムコード００：００：３０−００：０１：００の期間の映像と、資料画像１とを、同期情報を用いて合成し、強調表示映像データを生成する。この強調表示映像データにより閲覧端末３００には、図２３及び２４に示される強調表示１が表示される。
【０１８３】
尚、映像の強調表示の再生開始時刻であるが、上述のように、現在の再生位置から再生を開始しても良いが、そのシーンの最初から再生されるようにしても良い。上述の例では、シーンの開始時刻ＴＳ００：００：００−終了時刻ＴＥ００：０１：００までの映像１及び映像４を用いて強調表示映像データを生成し、閲覧端末３００において、そのシーンの開始から映像１及び映像４が強調表示されるようにしても良い。
【０１８４】
また、強調表示時の資料画像の表示であるが、資料画像の表示を維持したままでも良いし、強調する映像のみを表示するようにしても良い。
【０１８５】
強調映像配信機能１１３は、生成した強調表示映像データを、閲覧端末３００に配信する（Ｓｔｅｐ  ２５）。
【０１８６】
一方、強調映像配信機能１１３は、閲覧端末３００における現在の再生位置が、ヒットしたシーンの開始時刻ＴＳ及び終了時刻ＴＥとの間にない場合、通常表示制御を維持する（Ｓｔｅｐ  ２６）。
【０１８７】
閲覧端末３００再生位置が一定量移動すると（Ｓｔｅｐ  ２７）、再度、強調映像配信機能１１３は、キーワードに関連付けられたシーンがあり、かつ、現在の再生位置が、そのシーンの開始時刻ＴＳと終了時刻ＴＥとの間にあるかを判断する（Ｓｔｅｐ  ２８）。
【０１８８】
キーワードに関連付けられたシーンがあり、かつ、現在の再生位置が、そのシーンの開始時刻ＴＳと終了時刻ＴＥとの間にある場合、強調映像配信機能１１３は、Ｓｔｅｐ  ２４に戻り、映像識別情報Ｖ１の強調表示映像データの生成の処理を続行する。
【０１８９】
例えば、図２３及び図２４の例の強調表示１の再生が進み、現在の再生位置がタイムコード００：０１：０１である場合、タイムコード００：０１：０１が位置するシーンは映像識別情報４の開始時刻ＴＳ００：００：００−終了時刻ＴＥ００：０１：００のシーンのみとなる。そこで、映像識別情報４の映像のタイムコード００：００：３０−００：０１：００の期間の映像と、資料画像２とを、同期情報を用いて合成し、強調表示映像データを生成する。この強調表示映像データにより閲覧端末３００には、図２３及び図２４に示されるような強調表示２が表示される。
【０１９０】
尚、キーワードにヒットした映像識別情報が複数ある場合、強調表示する映像を増加、減少させたりする処理も、Ｓｔｅｐ  ２４で行われる。
【０１９１】
一方、キーワードに関連付けられたシーンがなく、かつ、現在の再生位置が、シーンの開始時刻ＴＳと終了時刻ＴＥとの間にない場合、強調表示制御を終了する。
【０１９２】
以上で、コンテンツ配信サーバ１００で行われる強調表示制御の動作の説明を終わる。
【０１９３】
また、強調表示は上記のものに限られず、キーワードが二つ以上の映像と関連付けられている場合、図２５に示すように、映像１と映像４を中心に配置し、映像２と映像３の表示領域を、映像１と映像４の表示領域よりも小さくしても良い。
【０１９４】
尚、第１の実施の形態において、強調表示されているシーンの映像の終了を待つことなく、ユーザの指示により、通常表示の状態に遷移できるようにしても良い。この場合、ユーザが強制的に強調表示を中止させ、通常表示に遷移させる指示を受け付けるアイコン等を強調表示時に表示し、このアイコン等がユーザによりクリックされた場合、コンテンツ配信サーバ１００が強調表示制御処理を中止し、通常表示制御処理に遷移するように構成しても良い。
【０１９５】
また、第１の実施の形態では、コンテンツ配信サーバ１００において、通常表示映像データ及び強調表示映像データを生成し、閲覧端末３００において、通常表示映像データ及び強調表示映像データに基づいて通常表示映像及び強調表示映像を表示する例を説明した。しかし、複数の映像と資料画像とを通常表示するための通常表示レイアウト情報を生成し、スクリプト等の命令記述を用いて、閲覧端末３００において、複数の映像と資料画像とが通常表示されるようにしても良い。同様に、指標に関連付けられた映像を強調するための強調表示レイアウト情報を生成し、スクリプト等の命令記述を用いて、閲覧端末３００において、指標に関連付けられた映像が強調された映像が表示されるようにしても良い。
【０１９６】
第１の実施の形態によれば、ユーザは、閲覧端末において、同一画面上で複数の映像が通常表示されている際、その複数の映像と同期して再生される指標を手掛かりに、複数の映像から注目したい映像を選択できる。そして、ユーザは指定した指標に関連付けられている映像を他の映像に比べて強調された形式で視聴することができる。従って、ユーザは注目したい映像を探すために、複数の映像を視聴して確認する必要がない。更に、ユーザが指標を指定することにより、注目したい映像が自動的に強調表示されるので、ユーザはそのまま視聴を継続することができる。
【０１９７】
その結果、ユーザが注目したい映像を探すための視聴による映像の再生処理や、映像を確認するための映像の拡大などの処理を低減することができ、映像制御装置及び閲覧端末の処理の負担を低減することができる。また、それらの処理に必要となるデータの送受信にかかるネットワーク等の通信リソースも低減することができる。
【０１９８】
更に、第１の実施の形態では、複数の映像と、その映像の理解を助けるための資料画像とが同期して表示され、その資料画像中に映像に関連付けられた指標が表示されるので、ユーザは、資料画像に注目すれば、注目したい映像に関連付けられた指標を探すことができる。
【０１９９】
＜第１の実施の形態の変形例＞
第１の実施の形態の変形例を説明する。
【０２００】
第１の実施の形態の変形例では、資料画像に複数の映像に関する情報の概念図を含める例を説明する。
【０２０１】
概念図は複数の映像に関するテーマや、視点又は撮影意図を表す情報の静止画である。複数の映像に関する情報の概念図の代表的なものに、複数の映像に映っている対象物や比較対象物を表す図、各映像の撮影位置や撮影方向（例えば、上、下、中央、右、左など）を表す図等がある。
【０２０２】
図２６は、資料画像中に表示される概念図の一例を示した図である。図２６で示した例では、複数の映像の中に登場する料理人の図を概念図としたものである。そして、資料画像の料理人の図を中心に、映像に関連付けられた指標（例えば、キーワード）を対応する位置に配置している。資料画像における指標の配置位置は、予め定めておく。更に、概念図だけではなく、それぞれの映像を代表するサムネイル画像を配置しても良い。
【０２０３】
図２７は、図２６で示した資料画像の実際の表示例を示した図である。
【０２０４】
資料画像の概念図の他の例を図２８に示す。
【０２０５】
図２８は、ＸＸスタジアムで行われたサッカーの試合を、バックスタンド側から撮影した映像１と、ホームゴール裏側から撮影した映像２と、メインスタンド側から撮影した映像３と、アウェイゴール裏側から撮影した映像４とがあり、映像１から映像４と同期して表示される資料画像の例を示したものである。資料画像の概念図は、フィールド、各撮影方向（矢印）及び映像番号から成る概念図である。そして、各撮影方向に対応して指標配置位置が定められている。
【０２０６】
資料画像生成機能１１１による指標配置位置に配置する指標を選択する方法であるが、最も簡単な方法として、各映像の映像識別情報と指標配置位置とを対応させておき、そこに配置する指標をその映像識別情報の映像の各シーンに関連付けられている指標から選択する方法がある。例えば、バックスタンド側から撮影した映像１の撮影方向に対応する指標配置位置に配置する指標は、映像１の各シーンに関連付けられた指標から選択するのである。具体的には、映像１の各シーンに関連付けられている指標が各シーンの映像に映っている選手名とすると、各シーンの映像に同期してその選手名を指標配置位置に配置するのである。
【０２０７】
このように、資料画像中に映像に関連する情報を示す概念図を設けることにより、概念図が指標を選択する目安となる。例えば、ユーザは、概念図に示された撮影位置等を目安に、希望する映像の指標を容易に選択することができる。
【０２０８】
＜第２の実施の形態＞
本発明の第２の実施の形態について説明する。
【０２０９】
第２の実施の形態は、上述した本発明の態様２に対応するものである。また、第２の実施の形態では、第１の実施の形態と同様に、関連付けられる映像の内容又はその映像がどのような視点又は観点で、作成又は撮影されたかを表すキーワードである例を説明する。また、映像が複数のシーンの映像に分割され、各シーンの映像に指標が関連付けられている例を説明する。
【０２１０】
まず、第２の実施の形態の映像制御システムについて図２９を参照して説明を行う。図２９は、第２の実施の形態の映像制御システムの構成を示すブロック図である。
【０２１１】
第２の実施の形態の映像制御システムは、図２９に示すように、コンテンツ配信サーバ１００がネットワーク２００に接続されており、閲覧端末３００がネットワーク２００に接続されて構成される。尚、コンテンツ配信サーバ１００が記憶装置４００を備えていても良い。
【０２１２】
第２の実施の形態におけるコンテンツ配信サーバ１００は、第１の実施の形態と異なり、記憶装置４００に格納されている映像データ、映像メタデータ及び資料画像となるデータを配信する機能を備えているが、通常表示部Ｘと強調表示部Ｙとを備えていない。その代わりに、閲覧端末３００が、通常表示部Ｘと強調表示部Ｙとを備えている。
【０２１３】
次に、閲覧端末３００について図３０を参照して説明する。
【０２１４】
図３０は、閲覧端末３００のブロック図である。
【０２１５】
閲覧端末３００は、プロセッサ３０１、メモリ（ＲＯＭやＲＡＭ）３０２、記憶装置（ハードディスク、半導体ディスクなど）３０３、入力装置（キーボード、マウス、タッチパネルなど）３０４、表示装置１０５、通信装置３０６などのハードウェア資源を有する汎用のコンピュータにより構成することができる。
【０２１６】
閲覧端末３００は、記憶装置３０３に格納されたプログラムがメモリ３０２にロードされ、プロセッサ３０１により実行されることにより、通常映像表示機能３１０、資料画像生成機能３１１、シーン検索機能３１２及び強調映像表示機能３１３が実現されるものである。
【０２１７】
ここで、通常映像表示機能３１０及び資料画像生成機能３１１が通常表示制御部Ｘに対応し、シーン検索機能３１２及び強調映像表示機能３１３が強調表示制御部Ｙに対応する。
【０２１８】
また、通常映像表示機能３１０、資料画像生成機能３１１、シーン検索機能３１２及び強調映像表示機能３１３は、通常映像表示部３１０、資料画像生成部３１１、シーン検索部３１２及び強調映像表示部３１３と言い換えることもできる。
【０２１９】
なお、処理の高速化のため、閲覧端末３００の機能の一部または全部を専用のハードウェア（例えばＧＰＵやＦＰＧＡ、ＡＳＩＣなど）を用いて実現することも可能である。
【０２２０】
閲覧端末３００は、コンテンツ配信サーバ１００から配信される映像データ、映像メタデータ及び初期資料画像となるデータを受信し、記憶装置３０３に格納する。
【０２２１】
資料画像生成機能３１１は、資料画像中に表示する各映像のキーワードを、記憶装置３０３に格納されている映像メタデータから取得し、取得したキーワード含む資料画像を生成する機能を有する。
【０２２２】
資料画像生成機能３１１は、初期資料画像中に取得したキーワードを配置して、各映像と同期されて表示される資料画像を生成する。初期資料画像は、コンテンツ配信サーバ１００から配信され、記憶装置３０３に格納されている。また、初期資料画像のメタデータには、第１の実施の形態と同様に、映像と資料画像との同期を取るための同期情報を含む。また、配置されるキーワードには、閲覧端末３００において、ユーザが指定したキーワードを特定できるように特定情報（例えば、キーワードの映像中の位置情報）を含めておく。尚、初期資料画像、資料画像、初期資料画像にキーワードを配置する処理は、上述した第１の実施の形態及びその変形例と同様なものである。
【０２２３】
通常映像表示機能３１０は、閲覧端末３００において、同一画面上で、複数の映像と資料画像とが同期して表示される通常表示映像データを生成し、その通常表示映像データに基づき、表示装置３０５に映像を通常表示する機能を有する。通常映像表示機能３１０は、閲覧端末３００の表示装置３０５に表示する映像データを記憶装置３０３から読み出す。そして、読み出した映像データと資料画像生成機能３１１により生成された資料画像とを、同期情報に基づいて合成し、通常表示の映像であるひとつの通常表示映像データを生成する。尚、同期情報は、第１の実施の形態と同様なものである。
【０２２４】
シーン検索機能３１２は、入力装置３０４から指定を受けたキーワードに関連付けられているシーン及びそのシーンが属する映像識別情報を、記憶装置３０３に格納されている映像メタデータから検索する機能を有する。
【０２２５】
強調映像表示機能３１３は、シーン検索機能３１２によって検索されたシーン及びそのシーンが属する映像識別情報から、そのシーンの映像を強調した強調表示映像データを生成し、その強調表示映像データに基づいて、表示装置３０５に表示する機能を有する。映像の強調方法は、第１の実施の形態と同様な方法を用いることができる。
【０２２６】
次に、第２の実施の形態の動作を説明する。尚、記憶装置４００に格納されている映像データと映像メタデータ及び資料画像とは、第１の実施の形態と同様なものとする。
【０２２７】
まず、閲覧端末３００の通常表示の動作を説明する。
【０２２８】
図３１は、閲覧端末３００で行われる通常表示処理のフローチャートである。
【０２２９】
まず、閲覧端末３００は、コンテンツ配信サーバ１００から、映像データと映像メタデータと初期資料画像とを受信し、記憶装置３０３に記憶する（Ｓｔｅｐ  ３０）。
【０２３０】
通常映像表示機能３１０は、記憶装置３０３から配信する映像１から映像４の映像データ及び映像メタデータを取得する（Ｓｔｅｐ  ３１）。
【０２３１】
次に、資料画像生成機能３１１は、通常映像配信機能１１０が読み出した映像データのタイムコードを含む同期情報を持つ初期資料画像を、記憶装置３０３から取得する（Ｓｔｅｐ  ３２）。そして、映像データのタイムコードが位置するシーンに関連付けられた各映像のキーワードを映像メタデータから取得し、取得したキーワードを初期資料画像に配置してシーンの資料画像を生成する（Ｓｔｅｐ  ３３）。資料画像の生成の具体例は、第１の実施の形態と同様である。
【０２３２】
通常映像表示機能３１０は、映像１から映像４の映像データと、資料画像生成機能３１１が生成した資料画像とを、同期情報を用いて合成し、通常表示映像データを生成する（Ｓｔｅｐ  ３４）。通常表示映像データの生成の具体例は、第１の実施の形態と同様である。
【０２３３】
そして、通常映像表示機能３１０は、通常表示映像データに基づいて、映像１から映像４と資料画像とが同期した映像を表示装置３０５に表示する（Ｓｔｅｐ  ３５）。
【０２３４】
次いで、入力装置３０４からのキーワードの指定を受信したかを判断する（Ｓｔｅｐ  ３６）。キーワードの指定を受信した場合は、強調表示制御に移行する。
【０２３５】
キーワードの指定を受信していない場合は、表示装置３０５における映像及び資料画像の通常表示の再生位置が一定量移動（例えば、シーンの終了時刻まで移動）したかを判断する（Ｓｔｅｐ  ３７）。映像及び資料画像の再生位置が一定量移動した場合は、Ｓｔｅｐ  ３０に戻り、通常表示制御の処理を行う。映像及び資料画像の再生位置が一定量移動していない場合は、Ｓｔｅｐ  ３６に戻る。
【０２３６】
尚、Ｓｔｅｐ  ３７における判定の条件である再生位置の一定量移動を、第１の実施の形態と同様に、再生している複数の映像のシーンの中で、いずれかのシーンの映像が終了するタイミングとしても良い。このようにすることにより、複数の映像間でシーンの長さが異なる場合であっても、各シーンとそのシーンの映像に関連付けられているキーワードとを、同期して資料画像中に表示することができる。
【０２３７】
閲覧端末３００の表示部３０１に表示される映像及び資料画像の例は図２１に示したものと同様である。
【０２３８】
以上で、閲覧端末３００で行われる通常表示制御の動作の説明を終わる。
【０２３９】
続いて、閲覧端末３００で行われる強調表示制御の動作について説明する。
【０２４０】
図３２は、閲覧端末３００で行われる強調表示制御のフローチャートである。
【０２４１】
まず、閲覧端末３００は、資料画像内のユーザがクリックした位置からキーワードを抽出する（Ｓｔｅｐ  ４０）。
【０２４２】
シーン検索機能３１２は、記憶装置３０３の映像メタデータから、そのキーワードに関連付けられたシーンを検索する（Ｓｔｅｐ  ４１）。
【０２４３】
シーン検索機能３１２は、映像メタデータ中に、キーワードに関連付けられたシーンがある場合（Ｓｔｅｐ  ４２）、検索にヒットしたシーンの映像識別情報Ｖ１、そのシーンの開始時刻ＴＳ及び終了時刻ＴＥを読み出す（Ｓｔｅｐ  ４３）。
【０２４４】
一方、キーワードに関連付けられたシーンがない場合、通常表示制御を維持する（Ｓｔｅｐ  ４７）。
【０２４５】
次に、強調映像表示機能３１３は、キーワードに関連付けられたシーンがある場合、シーン検索機能３１２から、シーンの映像識別情報Ｖ１、そのシーンの開始時刻ＴＳ及び終了時刻ＴＥを受信する。強調映像表示機能３１３は、現在の再生位置が、各シーンの開始時刻ＴＳと終了時刻ＴＥとの間に位置するかを判断する（Ｓｔｅｐ  ４４）。現在の再生位置が、ヒットしたいずれかのシーンの開始時刻ＴＳと終了時刻ＴＥとの間にある場合、強調映像表示機能３１３は、そのシーンの映像識別情報Ｖ１の映像の現在位置からの映像を強調表示する強調表示映像データを生成する処理を行う（Ｓｔｅｐ  ４５）。尚、強調表示映像データの生成処理は、映像データ、映像メタデータ及び初期資料画像の各データが記憶装置３０３に格納されている点を除いて、第１の実施の形態と同様である。
【０２４６】
尚、強調表示する映像の再生開始時刻であるが、上述のように、現在の再生位置から再生を開始しても良いが、第１の実施の形態と同様に、そのシーンの開始位置から再生を開始しても良い。
【０２４７】
そして、生成した強調表示映像データに基づいて、キーワードに関連付けられた映像が強調された強調表示映像を表示装置３０５に表示する（Ｓｔｅｐ  ４６）。
【０２４８】
一方、強調映像表示機能３１３は、現在の再生位置が、ヒットしたシーンの開始時刻ＴＳ及び終了時刻ＴＥとの間にない場合、通常表示制御を維持する（Ｓｔｅｐ  ４７）。
【０２４９】
再生位置が一定量移動すると（Ｓｔｅｐ  ４８）、再度、強調映像表示機能３１３は、キーワードに関連付けられたシーンがあり、かつ、現在の再生位置が、そのシーンの開始時刻ＴＳと終了時刻ＴＥとの間にあるかを判断する（Ｓｔｅｐ  ４９）。
【０２５０】
キーワードに関連付けられたシーンがあり、かつ、現在の再生位置が、そのシーンの開始時刻ＴＳと終了時刻ＴＥとの間にある場合、強調映像表示機能３１３は、Ｓｔｅｐ  ４５に戻り、映像識別情報Ｖ１の強調表示映像データの生成の処理を続行する。尚、キーワードにヒットした映像識別情報が複数ある場合、強調表示する映像を増加、減少させたりする処理も、Ｓｔｅｐ  ４５で行う。
【０２５１】
一方、キーワードに関連付けられたシーンがなく、かつ、現在の再生位置が、シーンの開始時刻ＴＳと終了時刻ＴＥとの間にない場合、強調表示制御を終了する。
【０２５２】
尚、閲覧端末３００の表示部３０１に表示される強調表示の例は、第１の実施の形態で説明した同様の方法を採用することができる。
【０２５３】
また、資料画像についても、同期情報を含むキーワードが配置された資料画像をコンテンツ配信サーバ１００側で予め用意しておき、映像データとともに、その資料画像を配信するようにしても良い。この場合、通常映像表示機能３１０は、複数の映像と資料画像とを合成して通常表示データを生成する際、合成する複数の映像のタイムコードを含む同期情報の資料画像を選択し、選択した資料画像とその複数の映像とを合成することにより、映像と同期した指標が配置された資料画像を含む通常表示データを生成することができる。
【０２５４】
第２の実施の形態では、映像データ、映像メタデータ及び初期資料画像等をコンテンツ配信サーバから受信し、これらを用いて、閲覧端末側で、通常表示制御及び強調表示制御を行う場合を説明したが、このような形態であっても、第１の実施の形態と同様な効果を得ることができる。
【０２５５】
また、第２の実施の形態では、閲覧端末側で、通常表示制御及び強調表示制御を行う構成なので、コンテンツ配信サーバの処理が低減するという効果もある。
【０２５６】
尚、第２の実施の形態においても、適時、第１の実施の形態の変形例を適用することができる。
【０２５７】
＜第３の実施の形態＞
本発明の第３の実施の形態について説明する。
【０２５８】
第３の実施の形態は、上述した本発明の態様３に対応するものである。
【０２５９】
図３３は第３の実施の形態の閲覧装置５００のブロック図である。
【０２６０】
第３の実施の形態が、第２の実施の形態と異なる所は、映像データ、映像メタデータ及び資料画像などを、コンテンツ配信サーバから配信されるのではなく、閲覧装置５００が保持しているところである。すなわち、記憶装置４００に相当するものが記憶装置３０３になる点である。尚、閲覧装置５００は、パーソナルコンピュータ、タブレット、スマートフォン等がある。
【０２６１】
記憶装置３０３には、サイトなどからダウンロード又は、Blu-ray（登録商標）やDVD等の記録媒体から読み込まれた映像データ、映像メタデータ及び初期資料画像が格納される。尚、映像データ、映像メタデータ及び初期資料画像のみならず、通常映像表示機能３１０、資料画像生成機能３１１、シーン検索機能３１２及び強調映像表示機能３１３を、プロセッサ３０１に実行させるためのプログラムも、サイトなどからダウンロード又は、Blu-ray（登録商標）やDVD等の記録媒体から読み込んでも良い。
【０２６２】
一方、通常映像表示機能３１０、資料画像生成機能３１１、シーン検索機能３１２及び強調映像表示機能３１３は、記憶装置３０３から映像データ、映像メタデータ及び初期資料画像を読み出す点を除いて、第２の実施の形態と同様な構成であるため、詳細な説明は省略する。
【０２６３】
第３の実施の形態は、閲覧装置が、単独で、通常表示制御及び強調表示制御を行う場合を説明したが、このような形態であっても、第１の実施の形態と同様な効果を得ることができる。
【０２６４】
また、第３の実施の形態は、映像データ、映像メタデータ及び初期資料画像等のデータを、ネットワークを介して受信することができないような環境下でも、実施することができるという利点がある。
【０２６５】
尚、上述した第１の実施の形態から第３の実施の形態では、複数の映像、指標及び資料が、ひとつの表示装置に表示される例を説明したが、これに限られない。例えば、マルチスクリーンのような環境下において、映像と資料画像とを異なる表示装置に表示しても良い。また、各映像も異なる表示装置に表示しても良い。
【０２６６】
また、本発明の態様４に対応する詳細な実施の形態は記載しないが、上述した第１の実施の形態から第３の実施の形態を、適時、組み合わせることにより、実施することができる。
【０２６７】
更に、上記の実施形態の一部又は全部は、以下の付記のようにも記載されうるが、以下には限られない。
【０２６８】
（付記１）
少なくとも一以上のハードウェアプロセッサを有し、
前記プロセッサは、
閲覧端末において、複数の映像と前記映像に関連付けられた指標とが同期して再生されるように、前記映像及び前記指標の出力を制御し、
前記複数の映像が同一画面上で再生されている通常表示の際、前記閲覧端末からの前記指標の指定を受けた場合、指定を受けた指標に関連付けられた映像が強調されて再生されるように、前記映像の出力を制御する
映像制御システム。
【０２６９】
（付記２）
コンピュータが、
閲覧端末において、複数の映像と前記映像に関連付けられた指標とが同期して再生されるように、前記映像及び前記指標の出力を制御し、
前記複数の映像が同一画面上で再生されている通常表示の際、前記閲覧端末からの前記指標の指定を受けた場合、指定を受けた指標に関連付けられた映像が強調されて再生されるように、前記映像の出力を制御する
映像制御方法。
【０２７０】
（付記３）
複数の映像の映像データと、
前記複数の映像と前記指標との関連付けの情報を含む映像メタデータと、
閲覧端末において、前記複数の映像と前記映像に関連付けられた指標とが同期して再生されるように、前記映像データと前記映像メタデータとを用いて前記映像及び前記指標の出力を制御する処理と、
前記複数の映像が同一画面上で再生されている通常表示の際、前記閲覧端末からの前記指標の指定を受けた場合、指定を受けた指標に関連付けられた映像が強調されて再生されるように、前記映像データと前記映像メタデータとを用いて前記映像の出力を制御する処理と
をコンピュータに実行させるプログラムと
が格納された記録媒体。
【０２７１】
以上好ましい実施の形態及び変形例をあげて本発明を説明したが、全ての実施の形態又は変形例の構成を備える必要はなく、適時組合せて実施することができるばかりでなく、本発明は必ずしも上記実施の形態及び変形例に限定されるものではなく、その技術的思想の範囲内において様々に変形し実施することが出来る。
【符号の説明】
【０２７２】
１      閲覧端末
２      ネットワーク
３      記憶部
４      映像制御装置
Ｘ      通常表示制御部
Ｙ      強調表示制御部
【図１】
2018125702.tif 000003
【図２】
2018125702.tif 000004
【図３】
2018125702.tif 000005
【図４】
2018125702.tif 000006
【図５】
2018125702.tif 000007
【図６】
2018125702.tif 000008
【図７】
2018125702.tif 000009
【図８】
2018125702.tif 000010
【図９】
2018125702.tif 000011
【図１０】
2018125702.tif 000012
【図１１】
2018125702.tif 000013
【図１２】
2018125702.tif 000014
【図１３】
2018125702.tif 000015
【図１４】
2018125702.tif 000016
【図１５】
2018125702.tif 000017
【図１６】
2018125702.tif 000018
【図１７】
2018125702.tif 000019
【図１８】
2018125702.tif 000020
【図１９】
2018125702.tif 000021
【図２０】
2018125702.tif 000022
【図２１】
2018125702.tif 000023
【図２２】
2018125702.tif 000024
【図２３】
2018125702.tif 000025
【図２４】
2018125702.tif 000026
【図２５】
2018125702.tif 000027
【図２６】
2018125702.tif 000028
【図２７】
2018125702.tif 000029
【図２８】
2018125702.tif 000030
【図２９】
2018125702.tif 000031
【図３０】
2018125702.tif 000032
【図３１】
2018125702.tif 000033
【図３２】
2018125702.tif 000034
【図３３】
2018125702.tif 000035